(57)【要約】三次元のエレクトロルミネセンスディスプレイは本体（１）とエレクトロルミネセンス装置（２０）を含んでいる。このエレクトロルミネセンス装置（２０）は、相互に１つの全体を構成するシート（２）とエレクトロルミネセンス機構（１０）とで構成されている。エレクトロルミネセンス機構（１０）のほうを向いているシート（２）の面は、表示されるべきモチーフ（９）を備えている。エレクトロルミネセンス機構（１０）は前面電極（１１）と背面電極（１２）を含んでおり、これらの間に誘電体（１３）が介在している。前面電極（１１）は、モチーフ（９）を実現する層に付属しており、これと一体的になっている。エレクトロルミネセンス装置（２０）の面の内部に、エレクトロルミネセンス装置（２０）の電極（１１，１２）と接触する供給源（１５）が配置されている。
2005507152.tif 000002
【特許請求の範囲】
【請求項１】
透明な前側部分（２）と、この前側部分の後方に配置されたエレクトロルミネセンス機構（１０）とを備える、三次元のエレクトロルミネセンスディスプレイにおいて、少なくともエレクトロルミネセンス装置（２０）の各層が、これらの層がエレクトロルミネセンス機構（１０）の大きな湾曲をも無害に克服するように相互にしっかりと結合されていることを特徴とする、エレクトロルミネセンスディスプレイ。
【請求項２】
エレクトロルミネセンス機構（１０）が、互いに間隔をおいている２つの平坦な電極（１１，１２）を有しており、これらの電極（１１，１２）の間に誘電体（１３）があり、この誘電体は、前記電極に電圧が印加されると発光できるようになっている、請求項１に記載のディスプレイ。
【請求項３】
前側部分（２）がシートとして施工されており、このシート（２）の裏側ないし後側の広い面にモチーフ（９）が装着されており、エレクトロルミネセンス機構（１０）の前面電極（１１）はモチーフ層（９）の上に装着されている、請求項１に記載のディスプレイ。
【請求項４】
エレクトロルミネセンス機構（１０）の背面電極（１２）の外側の広い面が被覆層（１４）を備えている、請求項２に記載のディスプレイ。
【請求項５】
エレクトロルミネセンス装置（２０）の外側の広い面に本体（１）が付属している、請求項１に記載のディスプレイ。
【請求項６】
本体（１）が少なくとも１つの凹部を備えており、この凹部は、本体（１）の前面に対して実質的に鉛直に延びる少なくとも１つの側壁を有しており、本体（１）の前壁に付属するエレクトロルミネセンス機構（１０）は前記凹部で相応の区域により延長されており、エレクトロルミネセンス機構（１０）のこの区域は前記凹部の側壁に載っている、請求項５に記載のディスプレイ。
【請求項７】
直流電圧を交流電圧に変換することができるコンバータ（１６）が設けられており、このコンバータの出力部はエレクトロルミネセンス機構（１０）に接続されており、コンバータ（１６）は少なくとも部分的に表示装置の本体（１）の材料の中に入っていてよい、請求項１に記載のディスプレイ。
【請求項８】
請求項１に記載のディスプレイを製造する方法において、実質的に平坦なシート（２）を準備し、このシートの広い面にモチーフ（９）を備えつけ、このエレクトロルミネセンス装置（２０）の前面電極（１１）がモチーフ（９）を備えているシート（２）の側に位置するように、シート（２）にエレクトロルミネセンス機構（１０）を付属させることを特徴とする方法。
【請求項９】
エレクトロルミネセンス装置（２０）を深絞りする、請求項８に記載の方法。
【請求項１０】
深絞りされたエレクトロルミネセンス装置（２０）にプラスチックを裏側へ射出成形する、請求項９に記載の方法。
【発明の詳細な説明】
【技術分野】
【０００１】
本発明は、透明な前側部分と、この前側部分の後方に配置されたエレクトロルミネセンス機構とを備える、三次元のエレクトロルミネセンスディスプレイに関する。
【背景技術】
【０００２】
このような分野の三次元のエレクトロルミネセンスディスプレイは、すでに公知である。この公知の装置は透明なディスクを有している。たとえばこのディスクの前側の広い面は光透過性でない層を備えており、この層に、たとえばグラフィック、記号、画像などのモチーフが造形されていてよい。このようなモチーフを防護するために、モチーフの前面は、たとえば澄んだ硬質な樹脂からなる保護層で覆われる。エレクトロルミネセンス機構ないしＥＬランプが、モチーフと反対のほうのディスクの側に付属している。このＥＬランプは舌部ないしラグを備えており、そのうち１つのラグがＥＬランプの電極の１つに、また他のラグがＥＬランプの他の電極に、それぞれ接続されている。このようなラグないし舌部を介して、ＥＬランプに電気エネルギーが供給される。
【０００３】
このような公知の装置の前面領域は、複数の層を使用する必要性があることから、複雑な構造となっている。そのうえ、表示装置が平坦でない形態を有することがしばしば求められる。すなわち、側面も同じく発光すべきである窓や凹部を、ディスプレイが有しているべきことがしばしば求められる。この目的のためには、ＥＬランプをディスプレイの前面からこのような窓またはこのような凹部の領域まで仕切る側壁が設けられなくてはならない。特に公知のディスプレイでは層構造に亀裂が生成しやすい傾向があるので、ディスプレイを緩やかに湾曲させることしかできない。公知のディスプレイの湾曲している区域の最低限実現可能な半径は、およそ６ｍｍ前後である。このことは、たとえば自動車のパネル装置では大きすぎる半径である。また、前述した舌部ないしラグを、ＥＬランプの電極へ取り付けることにも問題がある。その理由は、このような電極が非常に薄い層によって形成されているのに対して、舌部ないしラグは電極層に比べて比較的厚い帯状材料であるためである。
【発明の開示】
【発明が解決しようとする課題】
【０００４】
本発明の課題は、従来技術の上記の欠点ならびにその他の欠点を取り除くことにある。
【課題を解決するための手段】
【０００５】
この課題は、冒頭に述べた分野に属する三次元のエレクトロルミネセンスディスプレイにおいて、本発明によれば、請求項１の特徴に定義されている方法によって解決される。
【０００６】
次に、添付の図面を参照しながら本発明の実施形態について詳しく説明する。
【発明を実施するための最良の形態】
【０００７】
図１は、本発明による三次元のエレクトロルミネセンスディスプレイの考えられる１つの実施形態の前面を平面図で示している。以下においては、この三次元のエレクトロルミネセンスディスプレイを略してＥＬディスプレイとも呼ぶ。図２は、図１の表示装置の垂直方向の断面図を示している。この表示装置は、エレクトロルミネセンス装置２０を備える実質的に平坦な本体１を有している。この装置２０は、実質的に本体１の前面１０３に付属しており、画像、数字などの所望のグラフィック表示を発光させて現すことができる。この本体１は適当なプラスチックでできており、このプラスチックは射出成形プロセスで加工することができるのが好ましい。これは、たとえばアクリルニトリルブタジエンスチレン三元共重合体（ＡＢＳ）のグループに属する材料である。
【０００８】
図示している表示装置の本体１の前面１０３には、円形の輪郭を有する凹部１０１が施工されている。この凹部１０１は円形に周回する側壁１０２を有しており、その内面は、平坦な本体１の主面ないし前面１０３に対して実質的に鉛直に延びている。凹部１０１の内面１０２のこの区域の表面は、本体１の前面１０３の後に続いている。すなわち周回する側壁１０２は、平坦な本体１の前壁１０３から下方に向かって、ないしは後方に向かって延びている。さらに図２から明らかなように、エレクトロルミネセンス装置２０の区域２０１が本体凹部１０１の内部で続いており、凹部１０１を仕切っている壁部１０２の内面の一部を覆っている。
【０００９】
凹部１０１は、さらに、図示した実施例では凹部１０１の周回する側壁１０２のほぼ半分の高さに位置する底面１０５を含んでいる。この底面１０５の中央部には開口部１０６が設けられており、たとえばポテンショメータ（図示せず）などの軸をこの開口部に挿通することができる。ポテンショメータの軸の突出する端部に、操作ボタンが取り付けられていてよい。凹部壁１０２と実質的に並行に延びる拡張するトラック１０７（図１）は、たとえば音量などの制御される量が大きい値になるほうの方向を示唆している。
【００１０】
この器具の本体１の別の領域には、後方ないし裏側に向かって開いたキャビティ７が施工されている。このキャビティ７は四角形の輪郭を有していてよい。その場合、このキャビティ７は、本体１の平坦な区域１０３の裏側から後方に向かって延びる４つの壁部４３によって側方を区切られる。キャビティ７は、エレクトロルミネセンス装置２０に電気エネルギーを供給するための源１５を収容する役目を果たす。キャビティ７は、図２に示す実施例では、前述した凹部１０１の下方に位置している。図２には接触ピン１７および１８も図示されており、これらの接触ピンを介して、たとえば１２ボルトの直流電圧が源１５から供給される。これらの接触ピン１７および１８は、源１５の、エレクトロルミネセンス装置２０と反対を向いているほうの側にある。
【００１１】
図３は、エレクトロルミネセンス装置２０の構造を垂直方向の断面図で示しており、図３では、図２に図示している装置２０の区域ないし部分だけを取り上げている。エレクトロルミネセンス装置２０は、図３では一番上に図示されている前側の透明な、もしくは少なくとも半透明な、平坦な部分２を含んでいる。このシート２は、さらに、深絞りすることができる特性を有していなければならない。このようなシート２の製造に適したプラスチックは、一般に周知である。このような種類のその他の材料を代表するものとして、たとえばＢａｙｅｒ  ＡＧ社がＭａｋｒｏｆｏｌ（登録商標）の商標名で販売しているシートを挙げることができる。特別な効果を得るために、シート２が多層構造によって具体化されていてもよい。
【００１２】
図３に示すシート２の下側ないし後側は、二次元のモチーフ９を備えている。このモチーフ９は、たとえば記号、画像、数字などの三次元のグラフィック表示であってよい。このようなモチーフ９の内容は、間隔をおきながら相並んで位置する離散した要素８と、その間に介在する窓８１とによって定義される。それぞれのモチーフ要素８の間の窓８１を通してシート２を通過する光が、モチーフ９の内容を再現する。モチーフ要素８は、図３の断面図では、シート２の後側ないし裏側に取り付けられた離散した線として現われている。したがって、このモチーフ９はエレクトロルミネセンス装置２０の内部にあり、そこでたとえば磨減その他のマイナス要因に対して、その手前に配置されたシート２により防護されている。
【００１３】
シート２の後側すなわちモチーフ９の後側に、図示した例ではエレクトロルミネセンス機構である本来の発光機構１０が付属している。以下においては、この機構のことを単にＥＬ機構またはＥＬランプ１０とも呼ぶ。ＥＬ機構１０は２つの平坦な電極を有しており、すなわち、互いに間隔をおいている前面電極１１と背面電極１２を有している。これらの電極１１および１２の間に誘電体１３が配置されている。この誘電体１３は、ＥＬ機構１０の電極１１および１２に動作電圧が印加されると、発光することができるようになっている。ＥＬ機構１０の裏側には、絶縁材料からなる被覆層１４が積層されている。
【００１４】
本発明の装置を製造するときは、まず、エレクトロルミネセンス装置２０を製作する。第１の製造ステップでシート２が準備される。このことは、シート２が当初は変形されていない形態で、すなわち実質的に平坦な形態で存在していることを意味している。このシート２は、以後、ＥＬ装置２０の支持体としての役目を果たし、すなわち、特にＥＬ機構１０の支持体としての役目を果たす。シート２の裏側ないし後側に、たとえば印刷によって１つまたは複数のモチーフ９を施す。次の製造ステップで、モチーフ９の裏側に、および各モチーフ要素８の間の空いているシート２の裏面の領域に、ＥＬ機構１０の第１の電極すなわち前面電極１１が取り付けられる。このことは、同じくそれ自体公知の方法で行うことができる。この方法を選択するときは、前面電極１１がシート２にできるだけ良く付着するように留意する。さらに前面電極１１の材料は、無機ベースまたは有機ベースの導電性材料、たとえばＢａｙｔｒｏｎ（登録商標）および／またはポリアニリンおよび／またはポリピロールを、たとえばＰＵ，ＰＭＭＡ，ＰＶＡなどをベースとする高弾性の結合剤で改質したものであってよい。
【００１５】
この前面電極１１の上に、すでに述べた誘電性材料からなる別の層１３を装着する。この材料は、たとえばＺｎＳ，ＢａＴｉＯ３と、前述した高弾性の結合剤との混合物でできていてよい。
【００１６】
最後に、この誘電性層１３の空いている表面、すなわち後側の表面に、背面電極１２となる第３の層を積層する。この背面電極１２の材料は、無機ベースまたは有機ベースの導電性材料、たとえばＢａｙｔｒｏｎ（登録商標）および／またはポリアニリンおよび／またはポリピロールを、たとえばＰＵ，ＰＭＭＡ，ＰＶＡなどをベースとする高弾性の結合剤で改質したものであってよい。導電性を向上させる目的で、この層１２の材料は銀または炭素を添加されていてよく、および／またはこれらの材料からなる層で補足されていてよい。
【００１７】
最後に、被覆層１４をＥＬ機構１０の後側に装着する。
【００１８】
このエレクトロルミネセンス装置２０の以後の取扱にとって、エレクトロルミネセンス機構１０の個々の層ができる限り相互に付着していることがきわめて重要である。上に説明した個々の層１１から１４の組成は、前記層が互いに動かないように付着することばかりでなく、従来は実現できなかった前記層の伸長性をも保証する。
【００１９】
そして、ＥＬ機構１０がシート２の上にしっかり付着したエレクトロルミネセンス装置２０に、深絞り、型押し、エンボス加工、コイニング加工などを施す（図２と図４）。こうして成形されたエレクトロルミネセンス装置２０は、特に、隆起部３や凹部４（図２）を有することができる。ＥＬ装置２０のこれらの区域３および４の厚さは、エレクトロルミネセンス装置２０の変形していない区域５（図２）の厚さと実質的に同じである。
【００２０】
エレクトロルミネセンス装置２０を前述したように変形させている間に、エレクトロルミネセンス装置２０の機能性を損なうことなく、エレクトロルミネセンス装置２０に貫通部を設けることさえできる。図４は、このような貫通部１１０を有するＥＬ装置２０の領域の１つを、垂直方向の断面図で示している。この貫通部１１０は円形の輪郭を有しており、短い管部材の形態を有する延長部２０１がこの輪郭に続いている。この延長部２０１の１つまたは複数の壁部１１１は、エレクトロルミネセンス装置２０の端面２９に対して実質的に直角αをなしている。
【００２１】
延長部２０１は、前述した貫通部１１０の円形輪郭の内部にもともとあり、深絞りによって貫通部１１０に引き込まれたＥＬ装置２０の材料区域で形成されている。延長部２０１と、貫通部１１０を取り囲む平坦なＥＬ装置２０の区域との間には、ＥＬ装置２０の湾曲した移行区域６（図４と図１０）がある。エレクトロルミネセンス装置２０の端面２９から前述した延長部２０１の端面１１１まで延びるこの移行区域６の曲率半径は、非常に小さく抑えることができる。特に層２，９および１１から１４が互いに動かないように付着していることや、従来は実現できなかった前記層２，９および１１から１４の伸長性のおかげで、ＥＬ装置２０の各層に亀裂を生じることなく、移行区域６の曲率半径を１ｍｍ以下にすることができる。しかも延長部２０１の壁部１１１を、エレクトロルミネセンス装置２０の端面２０に対して実質的に９０度の角度αにすることができ、すなわち実質的に直角にすることができる。
【００２２】
誘電体１３は、ＥＬ装置２０の電極１１および１２に比べて比較的厚い層をなしている。
【００２３】
この誘電性層１３は、相上下して位置する複数の層で構成されていてよい。図１０には、ＥＬ装置２０の移行領域６の該当する区域が著しく拡大して示されている。
【００２４】
図１０に示されているエレクトロルミネセンス装置２０は、３つの層１３１，１３２および１３３からなる誘電性層１３を有している。これらの層１３１、１３２および１３３は上に挙げた誘電性材料でできていてよく、または、それぞれ異なる誘電性材料でできていてもよい。ＥＬ装置２０の製造中に各層１３１，１３２および１３３は前面電極１１の上へ、ないしは直前に装着された層の上へ、個別に順次装着される。
【００２５】
延長部２０１の下方に位置するエッジ１１５は自由端である。すでに述べたようにエレクトロルミネセンス装置２０の個々の層がきわめて良く相互に付着しており、高い伸長性があるので、エレクトロルミネセンス装置２０は深絞りされた区域２０１でも、当初の構造ないし前面１０３の領域の構造を維持している。したがって、この延長部２０１の円筒状の内面１１１も、エレクトロルミネセンス機構１０によって生成される光を放射することができる。
【００２６】
本発明のこの実施形態では、電極１１および１２が切断エッジ１１５までは達しないように、延長部２０１の自由端部１１５を構成することが可能である。前面電極１１と背面電極１２はいずれも切断エッジ１１５から間隔をおいて終わっている。それに対して、被覆層１４と誘電体層１３はいずれも切断エッジ１１５の領域にまで達している。このことは、特に安全性関連の利点をもたらし、すなわち、被覆層１４の絶縁性材料によって自由端が覆われているので、比較的高い電位にある電極１１および１２に触れることがあり得ない。しかも、切断エッジ１１５まで達する層１３および１４は、エレクトロルミネセンス装置２０の個々の層の間のスペースに水分が万一にも侵入するのを防止する。
【００２７】
深絞りをした後、エレクトロルミネセンス装置２０の裏側に本体１を付属させる。このことは、たとえばこれに適した材料をエレクトロルミネセンス装置２０の裏側に射出成形することによって行うことができる。これに適した材料のいくつかは、すでに上に掲げたとおりである。図５は、凹部がある図２の装置の区域を、管部材の形状の延長部２０１がある本体１の該当区域とともに、垂直方向の断面図で示している。裏側への射出成形中に、本体１の材料が延長部１１５の外面に載るときの様子が明らかにわかる。
【００２８】
図６は、図１ないし図２に示す装置を、エレクトロルミネセンス装置２０の裏側への射出成形によって製作することができる金型３０を示している。この金型３０は下型３１と上型３２を有しており、これらは互いに嵌合し、この金型３０を開けたり閉じたりしたいときに、それ自体公知の方法で、たとえば相互に旋回可能もしくは直線状にスライド可能なようにガイドされている。下側の金型部分３１の中には第１の金型インサート３３があり、上側の金型部分３２の中には第２の金型インサート３４がある。それぞれの金型インサート３３ないし３４の空洞の表面形状は、該当する金型インサート３３ないし３４によって成形されるべき、表示装置の各々の側の所望の表面形状に対応している。下側の金型部分３１には通路３７が施工されており、金型のキャビティに達するべき材料がこの通路を通って金型３０に導入され、金型の内部で分配される。
【００２９】
シート２の表面形状については、図２との関連ですでに説明したとおりである。上側の金型インサート３４の空洞の表面形状は、シート２の外側表面ないし前面の形状に対応していなければならない。同様のことは、下側の金型インサート３３の空洞の表面形状についても当てはまる。ここでは特に、下側の金型インサート３３の空洞の表面から突出する、相互間隔をおいた２つの突起３８および３９があることを指摘しておく。これらの突起３８および３９の高さは、これらの突起３８および３９の端面が射出成形プロセスの間にＥＬ装置２０の後側の面に載るように選択されている。
【００３０】
それにより、本体１のこの領域にある２つの通路３８および３９が空いたまま保たれる。これらの通路の利用法については後で説明する。
【００３１】
すでに述べた供給源１５には、比較的低いたとえば１２Ｖの直流電圧を、ＥＬ機構１０の作動のために必要な比較的高い交流電圧に変換する電子部品すなわちコンバータ１６が属している。この変換器１６は、図示した例では、すでに前述した本体１のキャビティ７に入っており、たとえばクランプスリーブ４４によってその部位で保持されている。そうでない場合、コンバータ１６は表示装置の本体１の中に部分的にのみ入っていてよく、あるいは表示装置から独立したユニットとして設けられていてもよい。
【００３２】
コンバータ１６の裏側から、本体１の材料から部分的に突出することができる、同じくすでに述べた接触ピン１７および１８が屹立している。本体１から突出しているピン１７および１８の区域には、たとえば蓄電池（図示せず）などの直流電圧源の極が接続されていてよい。エレクトロルミネセンス装置２０の作動に必要な電圧は１１０Ｖ／４００Ｈｚであってよく、接触装置２１および２２を介して装置２０へ接続される（図７，８および９）。
【００３３】
これらのうち第１の接触装置２１は、ＥＬランプ１０の背面電極１２と接触する。第２の接触装置２２は、ＥＬランプ１０の前面電極１１と接触する。第１の接触装置２１は本体１の第１の通路３８に位置している。第２の接触装置２２は本体１の第２の通路３９に位置している。それぞれの接触装置２１ないし２２はばねを含んでおり、図示した例ではコイルばね２１０ないし２２０を含んでいる。ばね２１０および２２０は、一方の端部で、コンバータ１６の対応する導電性の出力部位２１１ないし２２１に載っている。第１の接触装置２１のばね２１０の他方の端部は、ＥＬ機構１０の背面電極１２の材料に載っている。第２の接触装置２２のばね２２０の他方の端部は、ＥＬ機構１０の前面電極１１の材料に載っている。
【００３４】
図７に示す構成は、ＥＬランプ１０の電極１１および１２が相上下して位置していないＥＬランプ１０の領域で、接触装置２１および２２がＥＬランプに付属している場合に関わるものである。このことは、たとえば図７に図示するＥＬランプ１０の縁部４２で当てはまる可能性がある。この縁部４２では、背面電極１２の縁部エッジが、前面電極１１の縁部エッジよりもＥＬランプ１０のエッジ４２から大きな間隔で位置している。ＥＬランプ１０のエッジ４２まで達しているのは、電気的な絶縁材料からなる被覆電極１４だけである。
【００３５】
ＥＬランプ１０の電極１１および１２を、供給源１５によって、電極１１および１２が相上下して位置しているＥＬランプ１０の内部に位置する領域で接触させたいときは、背面電極１２の層に、前面電極１１と接触するべき接触装置２２を貫通させるための開口部４３が施工されていなくてはならない。背面電極１２の開口部４３は、この接触装置２２が背面電極１２と接触しない程度の大きさでなければならない。そのためには、通常、背面電極１２の開口部４３が、前面電極１１のための接触装置２２のばね２２０が背面電極１２と接触するのを防ぐのに十分な大きさであれば足りる。
【００３６】
エレクトロルミネセンス装置２０の裏側への射出成形によって表示装置の本体を製作した後、エレクトロルミネセンス装置２０は本体１に付着している。そして、前述した供給源１５を本体１のキャビティ７へ挿入する。この挿入は、接触装置２１および２２が本体１の通路３８および３９の内部に位置するように行う。次いで、ばね２１０および２２０の前端がエレクトロルミネセンス機構１０の該当する電極１２ないし１３の導電性層に載るまで、供給源１６をキャビティ７の中へ押し込む。その後、供給源１５をその位置で固定しなければならない。これは、たとえば適当な接着剤等によって行うことができる。
【００３７】
図８は、供給源１５がどのように本体１に付属していてよいかの別の可能性を示している。この場合、供給源１５の主要部分が本体１の中に入っている。このような構成を製作するために、平坦な中間片４６が用いられる。この中間片４６には、中間片４６の主面に対して鉛直に延びる通路４８および４９がある。中間片４６の一方の広い面を、ＥＬランプ１０の被覆層１４に接着する。その後、供給源１５のそれぞれのばね３８ないし３９を通路４８ないし４９の一方に挿通し、その前端がＥＬランプ１０の該当する電極１１ないし１２に載るように、供給源１５を中間片４６に付属させる。ＥＬランプ１０と反対を向いているほうの中間片４６の広い面に、コンバータ１６の前面を接着する。このようにして準備された半製品を金型３０の中に入れ、本体１の材料を裏側へ射出成形することができる。金型３０の下型３１は、この場合、本体１の材料がコンバータ１６の後側にも存在し、ピン１７および１８の区域だけが本体１のこの材料から突出し、すでに述べた直流電圧をこれらのピンに印加することができるように成形されている。
【００３８】
表示装置は本体１とＥＬ装置２０を含んでいる。このエレクトロルミネセンス装置２０は、相互に１つの全体を構成するシート２とエレクトロルミネセンス機構１０とで構成されている。エレクトロルミネセンス機構１０のほうを向いているシート２の面は、表示されるべきモチーフ９を備えている。エレクトロルミネセンス機構１０は前面電極１１と背面電極１２を含んでおり、これらの間に誘電体１３が介在している。前面電極１１は、モチーフ９を表現する層に付属しており、これと一体的になっている。エレクトロルミネセンス装置２０の面の内部に、エレクトロルミネセンス装置２０の電極１１および１２と接触する供給源１５が配置されている。
【図面の簡単な説明】
【００３９】
【図１】本発明による三次元のエレクトロルミネセンスディスプレイの１つの実施形態の前面を示す平面図である。
【図２】図１の構成部品を示す垂直方向の断面図である。
【図３】さらに加工をすると図１の表示装置になる半製品の一部を示す断面図である。
【図４】深絞り処理が施された後の図３の半製品を示す断面図である。
【図５】図４の半製品を示す断面図である。
【図６】図５の本体を製作することができる金型を示す断面図である。
【図７】図１ないし図２の表示装置のうち、接触部位がある領域の一部を示す断面図である。
【図８】図１ないし図２の表示装置のうち、同じく接触部位を設けることができる縁部領域の一部を示す断面図である。
【図９】本発明のディスプレイの本体の内部への供給源の格納部を示す断面図である。
【図１０】本発明のディスプレイの湾曲した部分を示す垂直方向の断面図である。
【国際公開パンフレット】
2005507152.tif 000003
2005507152.tif 000004
2005507152.tif 000005
2005507152.tif 000006
2005507152.tif 000007
2005507152.tif 000008
2005507152.tif 000009
2005507152.tif 000010
2005507152.tif 000011
2005507152.tif 000012
2005507152.tif 000013
2005507152.tif 000014
2005507152.tif 000015
2005507152.tif 000016
2005507152.tif 000017
2005507152.tif 000018
2005507152.tif 000019
2005507152.tif 000020
2005507152.tif 000021
2005507152.tif 000022
2005507152.tif 000023
2005507152.tif 000024
2005507152.tif 000025
2005507152.tif 000026
2005507152.tif 000027
2005507152.tif 000028
2005507152.tif 000029
【国際調査報告】
2005507152.tif 000030
2005507152.tif 000031
2005507152.tif 000032
2005507152.tif 000033